(57)【特許請求の範囲】
【請求項１】
脚部に支持された背部および座部を具え、空調空気供給路から供給された冷房空気を前記背部に沿って上下方向へ延在する空調空気通路から上方斜め後方へ吹き出させる空調椅子において、
前記背部および前記座部の少なくとも一方の着席者支持面に設けた吸気口と、前記吸気口から着席者近傍の空気を吸引する吸引手段と、を具え、
前記吸引手段は、前記背部に沿って上下方向へ延在する空調空気通路の途中に設けられてベンチュリ効果を生じさせる縮流部と、前記ベンチュリ効果により空調空気通路への空気の誘引が生じるようにその縮流部に開口する誘引口と、を有し、その誘引口での空調空気通路への誘引により前記着席者支持面に設けた吸気口から着席者近傍の空気を吸引する誘引構造であることを特徴とする吸引吹出し併用型空調椅子。
【請求項２】
前記吸気口は、前記背部および前記座部の両方の着席者支持面に設けてあることを特徴とする、請求項１記載の吸引吹出し併用型空調椅子。
【請求項３】
前記吸気口は、少なくとも前記座部の着席者支持面に設けてあり、
前記座部は起き上がった待機位置と略水平な着座位置との間で起倒可能なものであり、
前記座部の前記吸気口と前記誘引口との間に、前記座部が前記着座位置に位置すると前記座部の前記吸気口を前記吸引手段に接続する分離可能な接続手段を設けてあることを特徴とする、請求項１または２記載の吸引吹出し併用型空調椅子。
【請求項４】
前記吸気口は、少なくとも前記座部の着席者支持面に設けてあり、
前記座部の着席者支持面の吸気口は、その着席者支持面を形成するウレタンフォーム製のクッションに設けられた通気孔により形成されていることを特徴とする、請求項１から３までの何れか１項記載の吸引吹出し併用型空調椅子。
【請求項５】
前記吸気口は、少なくとも前記背部の着席者支持面に設けてあり、
前記背部の着席者支持面の吸気口は、その着席者支持面を形成するウレタンフォーム製のクッションに設けられて上下方向に延在する通気溝により形成されていることを特徴とする、請求項１から４までの何れか１項記載の吸引吹出し併用型空調椅子。
【発明の詳細な説明】
【技術分野】
【０００１】
この発明は、劇場等で着席者の近傍に空調空気を供給して冷房効率を高めるために用いられる空調椅子に関し、特には着席者の快適性と座席付近の空間のタスク冷房とを共に達成するための吸引吹出し併用型空調椅子に関するものである。
【背景技術】
【０００２】
着席者の近傍に空調空気を供給して冷房効率を高めるために用いられる空調椅子としては、本願出願人が先に提案した、劇場やホール等で用いられる空調連結椅子が知られている（特許文献１参照）。この空調連結椅子は、連結椅子の脚部から背部内に供給した空調空気を背部の上端部に設けたスリットから後方斜め上方へ吹き出させて着席者の近傍に空調空気を供給することで、劇場やホール等の内部全体でなく座席付近の空間（居住域）のタスク冷房を行うように構成している。
【先行技術文献】
【特許文献】
【０００３】
【特許文献１】特開平０９−２５２８７７号公報
【発明の開示】
【発明が解決しようとする課題】
【０００４】
ところで、空調椅子について本願発明者が研究を進めたところ、着席者個々人の状態に応じたパーソナル冷房も可能であれば、着席者の快適感をより高めることができるという点に想到した。しかしながら従来の空調椅子は、空調空気が背部を通って上方へ抜けるものであり、空調空気の吹き出し方向を変更可能にすることを検討したものの、それだけでは着席者個々人の状態に応じて快適感を高めることは難しいということが判明した。
【０００５】
従ってこの発明は、着席者個々人の状態に応じたパーソナル冷房と座席付近の空間のタスク冷房とを共に達成することができる空調椅子を提供することを目的とする。
【課題を解決するための手段】
【０００６】
上記課題を有利に解決するこの発明の吸引吹出し併用型空調椅子は、脚部に支持された背部および座部を具え、空調空気供給路から供給された冷房空気を前記背部に沿って上下方向へ延在する空調空気通路から上方斜め後方へ吹き出させる空調椅子において、前記背部および前記座部の少なくとも一方の着席者支持面に設けた吸気口と、前記吸気口から着席者近傍の空気を吸引する吸引手段と、を具えることを特徴とするものである。
【発明の効果】
【０００７】
かかる吸引吹出し併用型空調椅子にあっては、背部に沿って上下方向へ延在する空調空気通路に空調空気供給路から供給された冷房空気を、その空調空気通路から背部の傾斜等に応じて上方斜め後方へ吹き出させることで座席付近の空間のタスク冷房を行うと共に、吸引手段が背部および座部の少なくとも一方の着席者支持面に設けた吸気口から着席者近傍の空気を吸引することで着席者個々人の状態に応じたパーソナル冷房すなわち、着席者が発汗している場合はその着席者近傍の空気の吸引により気化熱を奪われて特に涼しく感じる一方で、着席者が発汗していない場合はその着席者近傍の空気の吸引があっても涼しすぎるほどの冷却感を感じずにすむという冷房を行う。
【０００８】
従ってこの発明の吸引吹出し併用型空調椅子によれば、着席者個々人の状態に応じたパーソナル冷房と座席付近の空間のタスク冷房とを共に達成することができるので、着席者の快適性をさらに高めることができる。
【０００９】
さらに、この発明の吸引吹出し併用型空調椅子においては、前記吸引手段は、前記背部に沿って上下方向へ延在する空調空気通路の途中に設けられてベンチュリ効果を生じさせる縮流部と、前記ベンチュリ効果により空調空気通路への空気の誘引が生じるようにその縮流部に開口する誘引口とを有し、その誘引口での空調空気通路への誘引により前記着席者支持面に設けた吸気口から着席者近傍の空気を吸引する誘引構造であるから、吸引のための別途の空調装置が不要になる。
【００１０】
なお、この発明の吸引吹出し併用型空調椅子においては、前記吸気口は、前記背部および前記座部の両方の着席者支持面に設けてあると、着席者の背および脚の近傍の空気を吸引できるので好ましい。
【００１１】
また、この発明の吸引吹出し併用型空調椅子においては、前記座部は起き上がった待機位置と略水平な着座位置との間で起倒可能なものであり、前記座部の前記吸気口と前記誘引口との間に、前記座部が前記着座位置に位置すると前記座部の前記吸気口を前記吸引手段に接続する分離可能な接続手段を設けてあると、起倒可能な座部を具える場合の構造が簡易になるので好ましい。
【００１２】
さらに、この発明の吸引吹出し併用型空調椅子においては、前記座部の着席者支持面の吸気口は、その着席者支持面を形成するウレタンフォーム製のクッションに設けられた通気孔により形成されていると、着席者によって潰れずに通気性を維持するので好ましい。
【００１３】
さらに、この発明の吸引吹出し併用型空調椅子においては、前記背部の着席者支持面の吸気口は、その着席者支持面を形成するウレタンフォーム製のクッションに設けられて上下方向に延在する通気溝により形成されていると、着席者の背骨付近の背面の凹部に沿って吸気するので好ましい。
【図面の簡単な説明】
【００１４】
【図１】この発明の吸引吹出し併用型空調椅子の一実施例を着席者がいる状態で側方視にて模式的に示す断面図である。
【図２】上記実施例の吸引吹出し併用型空調椅子を着席者がいないため座部が起き上がった待機位置に位置した状態で示す断面図である。
【図３】上記実施例の吸引吹出し併用型空調椅子を座部を省略した状態で示す正面図である。
【図４】上記実施例の吸引吹出し併用型空調椅子の座部を単独で示す平面図である。
【発明を実施するための形態】
【００１５】
以下に、この発明の実施の形態を実施例によって、図面に基づき詳細に説明する。ここに、図１は、劇場等の階段状の床に設けられたこの発明の吸引吹出し併用型空調椅子の一実施例を着席者がいる状態で側方視にて模式的に示す断面図であり、図２は、上記実施例の吸引吹出し併用型空調椅子を着席者がいないため座部が起き上がった待機位置に位置した状態で示す断面図である。なお、特に断らない限り本明細書での「前後方向」および「左右方向」とは、空調椅子の「前後方向」および「左右方向」を意味する。また、本明細書での「着座者」は、「着席者」と同じ意味で用いている。
【００１６】
この実施例の吸引吹出し併用型空調椅子は、互いに独立した複数の椅子が平床あるいは階段状の床面F上に左右方向に並べられて配置されていてもよく、あるいは、互いにほぼ同一の椅子が左右方向に複数連結されて床F上に配置されて連結椅子を構成するものであってもよい。
【００１７】
この実施例の吸引吹出し併用型空調椅子は通常の座起立式のもので、図示のように、床面Ｆ上に立設されるとともに上端部に肘部１を持つ左右の厚板状の脚部２と、それらの脚部２の間に配置されてそれらの脚部２に両側から固定支持された背部３と、それらの脚部２の間に配置された座部４とを具えており、ここで、座部４はそれらの脚部２に支持軸５を介して、図２に示す、前方を観客が通行可能な起き上がった待機位置と、図１に示す、着座者Ｐが着座し得る略水平な着座位置との間で起倒可能に支持されるとともに、図示しないスプリングでその待機位置へ向けて常時回動付勢されている。
【００１８】
この実施例の吸引吹出し併用型空調椅子はまた、床面Ｆの下に設けられた空調空気ダクトＤを介して図示しない空調装置に接続された空調空気供給路６と、その空調空気供給路６に接続されるとともに背部３に沿って上下方向へ延在する空調空気通路７とを具えており、空調空気通路７は、上記空調装置から空調空気ダクトＤおよび空調空気供給路６を介して供給された冷房空気Ｃを図中矢印で示す如く背部３の傾斜に沿って上方斜め後方へ吹き出させる。なお、空調空気通路７の上端部には、図示しないが、ゴミの侵入を防止する通常の網状フィルタと、冷房空気Ｃの吹出し方向を整える通常の板状ルーバとが設けられている。
【００１９】
また、この実施例の吸引吹出し併用型空調椅子は、背部３および座部４のそれぞれの着席者支持面に設けられた吸気口８と、空調空気通路７の下部に設けられてそれらの吸気口８から着座者近傍の空気を吸引する吸引手段としての誘引部９とを具えている。
【００２０】
図３は、この実施例の吸引吹出し併用型空調椅子を座部を省略した状態で示す正面図であり、図１および図３に示すように、背部３の吸気口８は、背板３ａで支持されて着席者支持面を形成するウレタンフォーム製のクッション３ｂに設けられてクッション３ｂの左右方向中央部で上下方向に延在する１本の通気溝３ｃにより形成され、そのクッション３ｂの表面は通気性の良いメッシュ状のカバー３ｄで覆われている。
【００２１】
また、図４は、上記実施例の吸引吹出し併用型空調椅子の座部を単独で示す平面図であり、図１および図４に示すように、座部４の吸気口８は、底板４ａを持つ座枠４ｂ上に配置された波型スプリング４ｃで支持されて着席者支持面を形成するウレタンフォーム製のクッション４ｄに分散して設けられてそれぞれクッション４ｄを上下方向に貫通して延在する複数本の通気孔４ｅにより形成され、そのクッション４ｄの表面は通気性の良いメッシュ状のカバー４ｆで覆われている。
【００２２】
誘引部９は、空調空気通路７の途中に設けられてベンチュリ効果を生じさせる縮流部９ａと、そのベンチュリ効果により空調空気通路７への空気の誘引が生じるように縮流部９ａに上向きに開口する誘引口９ｂと、背部３の背板３ａの下端部を貫通して背部３の通気溝３ｃの下端に接続されるとともに座部４の座枠４ｂを貫通して座部４の通気孔４ｅにも接続される誘引路９ｃとを有し、誘引口９ｂでの空調空気通路７への誘引により、背部３および座部４のそれぞれの着席者支持面に設けた吸気口８から誘引路９ｃを介して着座者近傍の空気を吸引する。
【００２３】
ここで、座部４を起き上がった待機位置と略水平な着座位置との間で起倒可能にしつつ、誘引口９ｂで座部４の着席者支持面に設けた吸気口８から着座者近傍の空気を吸引するために、座部４の吸気口８と空調空気通路７の下部の誘引部９との間の誘引路９ｃには、座部４が着座位置に位置すると座部４の吸気口８を誘引口９ｂに接続する分離可能な接続部９ｄが設けられている。
【００２４】
接続部９ｄは、背部３の下端部と座部４の後端部とにそれぞれ位置する開口部であり、図１に示すように座部４が着座位置に位置すると、周囲に対し気密となる状態で互いに接続されて、縮流部９ａでの冷房空気Ｃの流速の上昇によるベンチュリ効果で誘引口９ｂに生じる負圧を座部４と背部３とのそれぞれの吸気口８に及ぼし、着座者近傍の空気の吸引を可能にする。
【００２５】
なお、図２に示すように着座者Ｐがいないため座部４が待機位置にある状態では、縮流部９ａに繋がる背部３側の接続部９ｄは背部３の下端部で大気中に開放されており、縮流部９ａはその接続部９ｄから周囲の外気を誘引して冷房空気Ｃに加え、空調空気通路７はその外気を冷房空気Ｃと一緒に斜め上方に吹き出して冷房空気量を増加させ、座席付近の空間のタスク冷房の効率を高める。
【００２６】
かかるこの実施例の吸引吹出し併用型空調椅子は、背部３に沿って上下方向へ延在する空調空気通路７に空調空気供給路６から供給された冷房空気Ｃを、その空調空気通路７から背部３の傾斜等に応じて上方斜め後方へ吹き出させることで座席付近の空間のタスク冷房を行うと共に、誘引部９が背部３および座部４の着席者支持面に設けた吸気口８から着座者近傍の空気を吸引することで着席者Ｐの個々人の状態に応じたパーソナル冷房すなわち、着座者Ｐが発汗している場合はその着座者近傍の空気の吸引により気化熱を奪われて特に涼しく感じる一方で、着座者Ｐが発汗していない場合はその着座者近傍の空気の吸引があっても涼しすぎるほどの冷却感を感じずにすむという冷房を行う。
【００２７】
従って、この実施例の吸引吹出し併用型空調椅子によれば、着席者Ｐの個々人の状態に応じたパーソナル冷房と座席付近の空間のタスク冷房とを共に達成することができるので、着席者の快適性をさらに高めることができる。
【００２８】
しかも、この実施例の吸引吹出し併用型空調椅子によれば、吸引手段は、背部３に沿って上下方向へ延在する空調空気通路７の途中に設けられた縮流部９ａと、その縮流部９ａに空調空気通路７への空気の誘引が生じるように開口する誘引口９ｂとを有し、その誘引口９ｂでの空調空気通路７への誘引により着席者支持面に設けた吸気口８から着座者近傍の空気を吸引する誘引部９であることから、吸引のための別途の空調装置を不要とすることができる。
【００２９】
また、この実施例の吸引吹出し併用型空調椅子によれば、吸気口８は、背部３および座部４の両方の着席者支持面に設けてあることから、着座者Ｐの背および脚の両方の近傍の空気を吸引することができる。
【００３０】
さらに、この実施例の吸引吹出し併用型空調椅子によれば、座部４は起き上がった待機位置と略水平な着座位置との間で起倒可能なものであり、座部４の吸気口８と誘引口９ｂとの間に、座部４が着座位置に位置すると座部４の吸気口８を誘引口９ｂに接続する分離可能な接続部９ｄを設けてあることから、起倒可能な座部４を具える場合の構造を簡易なものとすることができる。
【００３１】
さらに、この実施例の吸引吹出し併用型空調椅子によれば、座部４の着席者支持面（座面）の吸気口８は、その着席者支持面を形成するウレタンフォーム製のクッション４ｄに設けられた通気孔４ｅにより形成されていることから、着座者Ｐによって潰れずに通気性を維持することができる。
【００３２】
さらに、この実施例の吸引吹出し併用型空調椅子によれば、背部３の着席者支持面の吸気口８は、その着席者支持面を形成するウレタンフォーム製のクッション３ｂの左右方向中央部で上下方向に延在する通気溝３ｃにより形成されていることから、着座者Ｐの背骨付近の背面の凹部に沿って吸気することができる。
【００３３】
以上、図示例に基づき説明したが、この発明の吸引吹出し併用型空調椅子は上述の例に限定されるものでなく、特許請求の範囲の記載の範囲内で適宜変更し得るものであり、例えば吸気口８は、背部３および座部４の何れか一方のみの着席者支持面に設けても良く、また、背部３の着席者支持面の吸気口８は、各々上下方向に延在する複数本の通気溝３ｃで形成しても良く、座部４の吸気口８と同様に複数本の通気孔とそれらの通気孔に連なる空洞とで形成しても良い。そして、座部４の着席者支持面の吸気口８は、弾力性に優れた立体編物をウレタンフォーム製のクッション４ｄとカバー４ｆとの間に介挿して形成しても良い。
【００３４】
さらに、上記実施例では吸気口８からの着座者近傍の空気の吸引を、空調空気通路７の途中に設けた誘引部９によって行っているが、これに代えて着座者Ｐの近傍の空気の吸引を、別途の空調装置あるいは排気装置で行うようにしても良い。
【００３５】
さらに、上記実施例では座部４の吸気口８と誘引口９ｂとの間に、座部４が着座位置に位置すると座部４の吸気口８を誘引口９ｂに接続する分離可能な接続部９ｄを設けているが、これに代えて座部４の吸気口８を誘引口９ｂに常時接続する可撓性のダクト等を設けても良い。
【００３６】
さらに、上記実施例では冷房空気Ｃの吹き出しのみを説明したが、空調空気通路７の上端部の吹出し口を適度に閉止することで、図示しない空調装置から空調空気供給路６に供給した暖房空気を誘引部９から背部３と座部４との吸気口８に送り、それらの吸気口８から吐出させて１０暖房も行うようにしても良い。
【産業上の利用可能性】
【００３７】
かくしてこの発明の吸引吹出し併用型空調椅子によれば、着席者個々人の状態に応じたパーソナル冷房と座席付近の空間のタスク冷房とを共に達成することができるので、着席者の快適性をさらに高めることができる。
【符号の説明】
【００３８】
１  肘部
２  脚部
３  背部
３ａ  背板
３ｂ  クッション
３ｃ  通気溝
３ｄ  カバー
４  座部
４ａ  底板
４ｂ  座枠
４ｃ  波型スプリング
４ｄ  クッション
４ｅ  通気孔
４ｆ  カバー
５  支持軸
６  空調空気供給路
７  空調空気通路
８  吸気口
９  誘引部
９ａ  縮流部
９ｂ  誘引口
９ｃ  誘引路
９ｄ  接続部
Ｃ  冷房空気
Ｄ  空調空気ダクト
Ｆ  床面
【図１】
0006309403.tif 000002
【図２】
0006309403.tif 000003
【図３】
0006309403.tif 000004
【図４】
0006309403.tif 000005